(57)【要約】【解決手段】少なくとも、パレットＰとスリーブＳと蓋兼中間トレーＴとから構成されている梱包システムであって、スリーブを外壁１０ａと中仕切り部材１１とにより構成するとともに、スリーブの上下端部を、パレット及び蓋兼中間トレーに形成された溝６、７、２５、２９に挿入するようにしたものである。【効果】スリーブの上下端部を、パレット及び蓋兼中間トレーに形成された溝に挿入するようにしたので、パレットと蓋兼中間トレーとの間に挟持されるスリーブの揺れや変形を抑制することができるとともに、スリーブ自体の耐圧縮荷重を増加することができる。【選択図】図９
2004042932.tif 000002
【特許請求の範囲】
【請求項１】
少なくとも、パレットとスリーブと蓋兼中間トレーとから構成されている梱包システムであって、スリーブを外壁と中仕切り部材とにより構成するとともに、スリーブの上下端部を、パレット及び蓋兼中間トレーに形成された溝に挿入するようにしたことを特徴とする梱包システム。
【請求項２】
スリーブを構成する外壁及び中仕切り部材の上下端に突片を突設するとともに、パレット及び蓋兼中間トレーの溝内には、該溝より深い突片挿入用凹溝を形成したことを特徴とする請求項１に記載の梱包システム。
【発明の詳細な説明】
【０００１】
【発明の属する技術分野】
本発明は、種々の物品を、運搬、搬送、保管するための梱包システムに関するものである。
【０００２】
【従来の技術】
従来、パレットと、パレットに載置された物品を囲むように配置された角筒状のスリーブと、スリーブを被蓋する蓋とから構成された梱包システムが知られている。
【０００３】
【発明が解決しようとする課題】
上述した従来の梱包システムにおいては、スリーブが、４つの側壁のみからなる単純な角筒状に形成されてるために、強度や剛性が十分でなく、変形したり、損傷し易いという問題があった。従来より、パレットとスリーブと蓋とからなる梱包システムの上に、同様の梱包システムを積み重ねる、所謂、段積みすることが行われているが、特にこのような場合に、下に位置する梱包システムのスリーブが、上に位置する梱包システムの重量に耐えられずに、損傷するという問題があった。
【０００４】
本発明の目的は、上述した従来の梱包システムが有する課題を解決することにある。
【０００５】
【課題を解決するための手段】
本発明は、上述した目的を達成するために、第１には、少なくとも、パレットとスリーブと蓋兼中間トレーとから構成されている梱包システムであって、スリーブを外壁と中仕切り部材とにより構成するとともに、スリーブの上下端部を、パレット及び蓋兼中間トレーに形成された溝に挿入するようにしたものであり、第２には、スリーブを構成する外壁及び中仕切り部材の上下端に突片を突設するとともに、パレット及び蓋兼中間トレーの溝内には、該溝より深い突片挿入用凹溝を形成したものである。
【０００６】
【実施例】
以下に、本発明の実施例について説明するが、本発明の趣旨を越えない限り何ら、本実施例に限定されるものではない。
【０００７】
本発明の梱包システムの基本構成は、従来の梱包システムと同様に、パレットＰと、パレットＰに載置されるスリーブＳと、スリーブＳに被蓋される蓋兼中間トレーＴとから構成されており、必要に応じて、後述するように、物品が個別に収容されるダネッジＤが用いられる。
【０００８】
先ず最初に、図１〜図４を用いて、梱包システムを構成するパレットＰの一実施例について説明する。
【０００９】
パレットＰは、載置部１の４つの角部に形成された、複数の脚部Ａからなる隅部脚部群２と、隅部脚部群２の中間に形成された、同じく複数の脚部Ａからなる中間脚部群３と、載置部１の中央部に形成された、同じく複数の脚部Ａからなる中央脚部群４とから構成されている。脚部Ａは、上部開口を有する有底で先細り状のコップ状に形成されている。
【００１０】
本実施例においては、隅部脚部群２は、２個の脚部Ａにより構成されており、載置部１の短辺１ａ側に位置する中間脚部群３は、２個の脚部Ａにより構成されており、載置部１の長辺１ｂ側に位置する中間脚部群３は、４個の脚部Ａにより構成されており、そして、中央脚部群４は、４個の脚部Ａにより構成されている。脚部Ａの形状は、種々の形状に形成することができ、また、隅部脚部群２、中間脚部群３及び中央脚部群４を構成する脚部Ａの数も、適宜、設定するとができる。
【００１１】
図４に示されているように、隅部脚部群２を構成する２個の脚部Ａ１、Ａ２の相対する側壁ａ１、ａ２には、側壁ａ１、ａ２の相対する中央部付近の外壁面を、コップ状の脚部Ａ１、Ａ２の内側に円弧状に凹ますことにより形成された縦方向に延在する凹部ａ１’、ａ２’が形成されている。そして、２個の脚部Ａ１、Ａ２の相対する側壁ａ１、ａ２に、相対するように形成された円弧状の凹部ａ１’、ａ２’により、脚部Ａ１、Ａ２間には、後述する円筒状嵌合突起が嵌合可能な嵌合部Ｇが形成されている。
【００１２】
載置部１の周囲には、上方に延在する周縁壁５が形成されており、また、周縁壁５付近の載置部１には、周縁壁５に沿って、後述するスリーブＳの下端部が挿入可能な周縁溝６が形成されており、また、周縁溝６の適当な箇所には、後述するスリーブＳに形成された突片が挿入可能な、上記の周縁溝６より深い突片挿入用凹溝６ａが形成されている。また、載置部１の適当な箇所にも、後述するスリーブＳを構成する中仕切り部材の下端部が挿入可能な溝７が形成されており、また、溝７の適当な箇所には、後述するスリーブＳに形成された突片が挿入可能な、上記の周縁溝７より深い突片挿入用凹溝７ａが形成されている。、
【００１３】
次に、図１及び図５を用いて、梱包システムを構成するスリーブＳの一実施例について説明する。
【００１４】
パレットＰに載置される、角筒状に形成されたスリーブＳは、４つの板状の外壁１０ａからなる角筒状部材１０と、パレットＰに載置される物品の形状や大きさ等に応じて、角筒状部材１０内を間仕切る中仕切り部材１１とにより構成されている。
【００１５】
本実施例においては、パレットＰの載置部１が、短辺１ａと長辺１ｂとを有する長方形に形成されているので、スリーブＳの角筒状部材１０の平面形状も長方形に形成されている。なお、以下においては、説明の都合上、便宜的に、角筒状部材１０を構成する外壁１０ａのうち、パレットＰの載置部１の短辺１ａに沿って配置される幅の狭い外壁１０ａを、幅狭外壁１０ａと称し、パレットＰの載置部１の長辺１ｂに沿って配置される幅の広い外壁１０ａを、幅広外壁１０ａと称する。
【００１６】
本実施例においては、中仕切り部材１１は、相対する幅狭外壁１０ａを連結するとともに、幅広外壁１０ａに平行で、一方の幅広外壁１０ａ寄りに配置された中仕切り板１１ａ、中仕切り板１１ａと該中仕切り板１１ａに対してより遠い方の幅広外壁１０ａを連結する２枚の中仕切り板１１ｂ、及び、中仕切り板１１ａと該中仕切り板１１ａに対してより近い方の幅広外壁１０ａを連結する１枚の中仕切り板１１ｃとにより構成されており、このような中仕切り板１１ａ、１１ｂ、１１ｃにより、スリーブＳの角筒状部材１０内が、物品が収容される５等分された仕切り空間Ｃ１〜Ｃ５に間仕切られている。
【００１７】
スリーブＳを構成する外壁１０ａ（幅狭外壁１０ａ、幅広外壁１０ａ）の上下端には、適当数の突片１２が形成されており、また、中仕切り部材１１を構成する中仕切り板１１ａ、１１ｂ、１１ｃの上下端にも、適当数の突片１２が形成されている。外壁１０ａ（幅狭外壁１０ａ、幅広外壁１０ａ）の上端に形成された突片１２と外壁１０ａ（幅狭外壁１０ａ、幅広外壁１０ａ）の下端に形成された突片１２とは、平面的に見て、互いに、重ならないように形成されており、同様に、中仕切り板１１ａ、１１ｂ、１１ｃの上端に形成された突片１２と中仕切り板１１ａ、１１ｂ、１１ｃの下端に形成された突片１２とも、平面的に見て、互いに、重ならないように形成されている。
【００１８】
スリーブＳを構成する外壁１０ａの下端部は、パレットＰの周縁壁５に沿って形成された周縁溝６に挿入され、また、外壁１０ａの下端に突設された突片１２は、周縁溝６内に形成された突片挿入用凹溝６ａに挿入されるように構成されている。そして、中仕切り部材１１を構成する中仕切り板１１ａ、１１ｂ、１１ｃの下端部は、パレットＰの載置部１に、適宜、形成された溝７に挿入され、また、中仕切り板１１ａ、１１ｂ、１１ｃの下端に突設された突片１２は、溝７内に形成された突片挿入用凹溝７ａに挿入されるように構成されている。
【００１９】
次に、図６〜図８を用いて、梱包システムを構成する蓋兼中間トレーＴの一実施例について説明する。
【００２０】
蓋兼中間トレーＴは、平面形状が、パレットＰの載置部１と同じ形状の板状部２０を有しており、板状部２０の外周縁には、下方に垂設された内側垂直周縁壁２１が形成されており、また、内側垂直周縁壁２１の外壁面の略中央部からは、外側に延在する、平面形状が額縁状の仕切り水平枠２２が形成されており、更に、仕切り水平枠２２の外周縁壁には、仕切り水平枠２２を中心に上下方向に略垂直に延在する外側垂直周縁壁２３が形成されている。内側垂直周縁壁２１の下端２１ａと外側垂直周縁壁２３の下端２３ａとは、略同じ高さに形成されており、また、外側垂直周縁壁２３の上端２３ｂは、板状部２０の上面より、高く構成されている。このように構成することにより、内側垂直周縁壁２１と外側垂直周縁壁２３との間には、仕切り水平枠２２により上下方向に分離された上部周縁溝２４及び下部周縁溝２５が形成されている。また、上部周縁溝２４及び下部周縁溝２５には、水平枠２２を、所定の長さに亘たって、上下方向に凹ますことにより、上部周縁溝２４及び下部周縁溝２５より深い、スリーブＳに形成された突片１２が挿入可能な突片挿入用凹溝２４ａ、２５ａが形成されている。
【００２１】
上述したスリーブＳを構成する中仕切り部材１１の中仕切り板１１ａ、１１ｂ、１１ｃに対応して、蓋兼中間トレーＴの板状部２０には、板状部２０から下方に延在する相対する垂直壁２６と、相対する垂直壁２６の中間を連結する仕切り底板２７により、上部溝２８及び下部溝２９が形成されている。また、上部溝２８及び下部溝２９には、仕切り底板２７を、所定の長さに亘たって、上下方向に凹ますことにより、上部溝２８及び下部溝２９より深い、スリーブＳに形成された突片１２が挿入可能な突片挿入用凹溝２８ａ、２９ａが形成されている。
【００２２】
次に、梱包システムの基本構成を構成するパレットＰ、中仕切り部材１１を有するスリーブＳ及び蓋兼中間トレーＴの組み立てについて説明する。
【００２３】
先ず最初に、パレットＰの載置部１に、所望の物品を載置する。この際、パレットＰの載置部１に形成されているスリーブＳの外壁１０ａの下端部が挿入される周縁溝６及び中仕切り部材１１の下端部が挿入される溝７を避けて載置する。次いで、パレットＰにスリーブＳを配置するが、この際、スリーブＳを構成する外壁１０ａの下端部が、パレットＰの載置部１に形成された周縁溝６に挿入されるとともに、外壁１０ａの下端に突設された突片１２が、周縁溝６内に形成された突片挿入用凹溝６ａに挿入され、また、スリーブＳを構成する中仕切り部材１１の下端部が、パレットＰの載置部１に形成された溝７に挿入されるとともに、中仕切り部材１１の中仕切り板１１ａ、１１ｂ、１１ｃの下端に突設された突片１２が、溝７内に形成された突片挿入用凹溝７ａに挿入されるように構成されている（図９）。なお、当然のことながら、パレットＰにスリーブＳを配置した後に、スリーブＳの仕切り空間Ｃ１〜Ｃ５に、所望の物品を収容することもできる。
【００２４】
上述したように、パレットＰに、スリーブＳを載置した後、スリーブＳに、蓋兼中間トレーＴを被せることになるが、この際、スリーブＳを構成する外壁１０ａの上端部が、蓋兼中間トレーＴに形成された下部周縁溝２５に挿入されるとともに、外壁１０ａの上端に突設された突片１２が、下部周縁溝２５内に形成された突片挿入用凹溝２５ａに挿入され、また、スリーブＳを構成する中仕切り部材１１の中仕切り板１１ａ、１１ｂ、１１ｃの上端部が、蓋兼中間トレーＴに形成された下部溝２９に挿入されるとともに、中仕切り板１１ａ、１１ｂ、１１ｃの上端に突設された突片１２が、下部溝２９内に形成された突片挿入用凹溝２９ａに挿入されるように構成されている（図１０）。
【００２５】
上述したように、パレットＰにスリーブＳが配置された場合には、スリーブＳの下端部が、パレットＰの載置部１に形成された周縁溝６及び溝７に挿入されるとともに、スリーブＳの下端に突設された突片１２が、周縁溝６及び溝７内に形成された突片挿入用凹溝６ａ、７ａに挿入され、そして、スリーブＳに蓋兼中間トレーＴを被蓋した場合には、スリーブＳの上端部が、蓋兼中間トレーＴに形成された下部周縁溝２５及び下部溝２９に挿入されるとともに、スリーブＳの上端に突設された突片１２が、下部周縁溝２５及び下部溝２９内に形成された突片挿入用凹溝２５ａ、２９ａに挿入されるように構成されているので、パレットＰと蓋兼中間トレーＴとの間に挟持されるスリーブＳの揺れや変形が抑制されるとともに、スリーブＳ自体の耐圧縮荷重が増加することになる。
【００２６】
パレットＰにスリーブＳを載置するとともに、スリーブＳに蓋兼中間トレーＴを載置して、梱包システムの基本構成を構成するが、更に、蓋兼中間トレーＴにスリーブＳを載置するとともに、スリーブＳに蓋兼中間トレーＴを載置することにより、蓋兼中間トレーＴやスリーブＳを介して、二段に物品を収容することもできる。蓋兼中間トレーＴにスリーブＳを載置した際には、スリーブＳを構成する外壁１０ａの下端部が、蓋兼中間トレーＴに形成された上部周縁溝２４に挿入されるとともに、外壁１０ａの下端に突設された突片１２が、上部周縁溝２４内に形成された突片挿入用凹溝２４ａに挿入され、また、スリーブＳを構成する中仕切り部材１１の中仕切り板１１ａ、１１ｂ、１１ｃの下端部が、蓋兼中間トレーＴに形成された上部溝２８に挿入されるとともに、中仕切り板１１ａ、１１ｂ、１１ｃの下端に突設された突片１２が、上部溝２８内に形成された突片挿入用凹溝２８ａに挿入されるように構成されている。なお、スリーブＳへの蓋兼中間トレーＴの載置手段は、上述したと同様であるので、その説明は省略する。
【００２７】
上述したように、パレットＰの載置部１に、直に、物品を載置する代わりに、図１１に示されているように、物品を、ダネッジＤに収容し、物品が収容された複数のダネッジＤを、パレットＰの載置部１に載置するように構成することもできる。
【００２８】
上述したように、パレットＰとスリーブＳと蓋兼中間トレーＴとにより、一段目の物品収納部を形成し、更に、一段目の物品収納部を構成する蓋兼中間トレーＴにスリーブＳを載置し、該スリーブＳに蓋兼中間トレーＴを載置して、二段目の物品収納部を形成することができるが、図１２に示されているように、一段目の物品収納部を構成する蓋兼中間トレーＴに、パレットＰを載置し、パレットＰに、上述したように、スリーブＳを載置し、該スリーブＳに蓋兼中間トレーＴを載置するように構成することもできる。このような実施例においては、図１２〜図１４に示されているような蓋兼中間トレーＴａが使用される。
【００２９】
パレットＰが載置される蓋兼中間トレーＴａの板状部２０の４つの角部付近には、円錐台状嵌合突起３０が形成されている。この円錐台状嵌合突起３０は、上述したパレットの隅部脚部群２を構成する２個の脚部Ａ１、Ａ２の相対する側壁ａ１、ａ２に形成された円弧状の凹部ａ１’、ａ２’により構成される嵌合部Ｇに嵌合されるように構成されている。このように、蓋兼中間トレーＴａにパレットＰを載置した際には、蓋兼中間トレーＴａの板状部２０に突設された円錐台状嵌合突起３０が、パレットＰの隅部脚部群２を構成する２個の脚部Ａ１、Ａ２の相対する側壁ａ１、ａ２に形成された円弧状の凹部ａ１’、ａ２’により構成される嵌合部Ｇに嵌合するように構成されているので、蓋兼中間トレーＴａに対して、パレットＰが横移動するようなことがなく、安定した状態で、蓋兼中間トレーＴａにパレットＰを載置することができる。
【００３０】
なお、上述した実施例には、スリーブＳを構成する角筒状部材１０の外壁１０ａの上下端及び中仕切り部材１１を構成する中仕切り板１１ａ、１１ｂ、１１ｃの上下端に、突片１２を突設した例が示されているが、このような突片１２を省略することもできる。このように、突片１２を省略した場合には、スリーブＳを構成する外壁１０ａ及び中仕切り部材１１を構成する中仕切り板１１ａ、１１ｂ、１１ｃの下端部のみが、パレットＰに形成された周縁溝６及び溝７に挿入され、また、スリーブＳを構成する外壁１０ａ及び中仕切り部材１１を構成する中仕切り板１１ａ、１１ｂ、１１ｃの上端部のみが、蓋兼中間トレーＴに形成された下部周縁溝２５及び下部溝２９に挿入されることになる。
【００３１】
なお、上述したパレットＰやスリーブＳや蓋兼中間トレーＴ、Ｔａは、合成樹脂で一体に成形されることが好ましい。
【００３２】
【発明の効果】
本発明は、以上説明した構成を有しているので、以下に記載する効果を奏するものである。
【００３３】
少なくとも、パレットとスリーブと蓋兼中間トレーとから構成されている梱包システムであって、スリーブを外壁と中仕切り部材とにより構成するとともに、スリーブの上下端部を、パレット及び蓋兼中間トレーに形成された溝に挿入するようにしたので、パレットと蓋兼中間トレーとの間に挟持されるスリーブの揺れや変形を抑制することができるとともに、スリーブ自体の耐圧縮荷重を増加することができる。
【００３４】
スリーブを構成する外壁及び中仕切り部材の上下端に突片を突設するとともに、パレット及び蓋兼中間トレーの溝内には、該溝より深い突片挿入用凹溝を形成したので、パレットと蓋兼中間トレーとの間に挟持されるスリーブの揺れや変形を確実に抑制することができるとともに、スリーブ自体の耐圧縮荷重を更に増加することができる。
【図面の簡単な説明】
【図１】図１は本発明の梱包システムの分解斜視図である。
【図２】図２は本発明の梱包システムを構成するパレットの斜視図である。
【図３】図３は本発明の梱包システムを構成するパレットの部分拡大斜視図である。
【図４】図４は同じく本発明の梱包システムを構成するパレットの部分拡大斜視図である。
【図５】図５は本発明の梱包システムを構成するスリーブの斜視図である。
【図６】図６は本発明の梱包システムを構成する蓋兼中間トレーの斜視図である。
【図７】図７は本発明の梱包システムを構成する蓋兼中間トレーの部分拡大斜視図である。
【図８】図８は本発明の梱包システムを構成する蓋兼中間トレーの部分垂直断面図である。
【図９】図９は本発明の梱包システムを構成するパレットへのスリーブの載置状態を説明するためのパレットとスリーブの部分垂直断面図である。
【図１０】図１０は本発明の梱包システムを構成するスリーブへの蓋兼中間トレーの載置状態を説明するためのスリーブと蓋兼中間トレーの部分垂直断面図である。
【図１１】図１１は本発明の別の実施例の梱包システムの分解斜視図である。
【図１２】図１２は本発明の更に別の実施例の梱包システムの分解斜視図である。
【図１３】図１３は図１２に示されている実施例に使用される蓋兼中間トレーの斜視図である。
【図１４】図１４は図１３に示されている蓋兼中間トレーとパレットの部分拡大斜視図である。
【符号の説明】
Ｄ・・・・・・・・・・・・ダネッジ
Ｐ・・・・・・・・・・・・パレット
Ｓ・・・・・・・・・・・・スリーブ
Ｔ・・・・・・・・・・・・蓋兼中間トレー
６・・・・・・・・・・・・周縁溝
７・・・・・・・・・・・・溝
６ａ、７ａ・・・・・・・・突片挿入用凹溝
１０・・・・・・・・・・・角筒状部材
１０ａ・・・・・・・・・・外壁
１１・・・・・・・・・・・中仕切り部材
１１ａ〜１１ｃ・・・・・・中仕切り板
１２・・・・・・・・・・・突片
２４・・・・・・・・・・・上部周縁溝
２５・・・・・・・・・・・下部周縁溝
２４ａ、２５ａ・・・・・・突片挿入用凹溝
２８・・・・・・・・・・・上部溝
２９・・・・・・・・・・・下部溝
２８ａ、２９ａ・・・・・・突片挿入用凹溝
【図１】
2004042932.tif 000003
【図２】
2004042932.tif 000004
【図３】
2004042932.tif 000005
【図４】
2004042932.tif 000006
【図５】
2004042932.tif 000007
【図６】
2004042932.tif 000008
【図７】
2004042932.tif 000009
【図８】
2004042932.tif 000010
【図９】
2004042932.tif 000011
【図１０】
2004042932.tif 000012
【図１１】
2004042932.tif 000013
【図１２】
2004042932.tif 000014
【図１３】
2004042932.tif 000015
【図１４】
2004042932.tif 000016